(57)【要約】【課題】フード付き衣服を干すのに最適で、フードのない衣服を干すのにも有効な衣服用ハンガーを提供する。【解決手段】衣服９を支持するための衣服用ハンガー１であって、衣服９の首から肩を覆う部分を支持するための左方向と右方向に向かう左側腕部４と右側腕部５と、左側腕部４と右側腕部５の間の上方中央部７に設ける物干し竿１０などの竿に引っ掛けて懸架するためのフック付き懸架部８と、左側腕部４の左下方端４ａと右側腕部５の右下方端５ａとを結ぶ水平杆６と、より構成されるハンガー本体２と、ハンガー本体２の前記上方中央部７に設けられた連結部７ａで前記フック付き懸架部８並びに左右側腕部４、５に対して直角方向に起伏可能に、かつ自軸の廻りに回転自在に枢支されるフック付き棒３と、を備える。【選択図】図１
2006198182.tif 000002
【特許請求の範囲】
【請求項１】
衣服を支持するための衣服用ハンガーであって、衣服の首から肩を覆う部分を支持するための左方向と右方向に向かう左側腕部と右側腕部と、左側腕部と右側腕部の間の上方中央部に設ける物干し竿などの竿に引っ掛けて懸架するためのフック付き懸架部と、左側腕部の左下方端と右側腕部の右下方端とを結ぶ水平杆と、より構成されるハンガー本体と、ハンガー本体の前記上方中央部に設けられた連結部で前記フック付き懸架部並びに左右側腕部に対して直角方向に起伏可能に、かつ自軸の廻りに回転自在に枢支されるフック付き棒と、を備えたことを特徴とする衣服用ハンガー。
【請求項２】
前記フック付き棒は、衣服のフードを支持する支持位置と、物干し竿などの竿に引っ掛けて懸架する懸架位置との相互位置切替自在に前記連結部で枢支されていることを特徴とする請求項１記載の衣服用ハンガー。
【請求項３】
物干し竿などの竿に引っ掛けて懸架する懸架位置における前記フック付き棒と、前記フック付き懸架部とは平行でかつ近接してハンガー本体の前記上方中央部に設けられていることを特徴とする請求項２記載の衣服用ハンガー。
【請求項４】
前記フック付き懸架部に沿わせて前記フック付き棒を固定する固定クリップを備えていることを特徴とする請求項１〜３のいずれか１項に記載の衣服用ハンガー。
【請求項５】
前記フック付き棒の長さが伸縮自在であることを特徴とする請求項１〜４のいずれか１項に記載の衣服用ハンガー。
【請求項６】
前記水平杆の中途に挟むための断部が設けられていることを特徴とする請求項１〜５のいずれか１項に記載の衣服用ハンガー。
【発明の詳細な説明】
【技術分野】
【０００１】
本発明は、衣服用ハンガーに関するものである。
【背景技術】
【０００２】
この種の従来技術においては、フードのみの分離ができないフード付きパーカーのようなフード付き衣服を干す際にも、左方向と右方向に向かう左側腕部と右側腕部と、左側腕部と右側腕部の間の上方中央部に設けた物干し竿などの竿に引っ掛けて懸架するためのフック付き懸架部と、左側腕部の左下方端と右側腕部の右下方端とを結ぶ水平杆と、からなる通常の衣服用ハンガーを用いて、そのフード付き衣服の首から肩を覆う部分を前記通常の衣服用ハンガーの左側腕部と右側腕部で支持して干している。
さらには、フードの後頭部の部分がフード付き衣服の後ろ見頃における首に近い部分に接触してその接触部分が風通し不良のため乾きにくいことを防止するために、最近では、フードを別途支持する支持具を備えた衣服用ハンガーで干す方法も採られている。
【０００３】
その一つとして、下記特許文献１には、ハンガー本体の左側腕部と右側腕部の各上方にフード付き衣服のフードを支持するための支持具を備えたものが案出されている（例えば、特許文献１参照。）。
また、下記特許文献２には、フードを支持する支持具を物干し竿に引っ掛けて懸架するためのフック付き懸架部の中途であって、フックの下方に備えたものもある（例えば、特許文献２参照。）。
【特許文献１】特開２００２−２６２９８５号公報（第３頁、第１図）
【特許文献２】特開２００３−１９９６６４号公報（第４頁、第１図）
【発明の開示】
【発明が解決しようとする課題】
【０００４】
前記従来技術による衣服用ハンガーの稼働率を上げるために、フード付き衣服のほかにフードのない衣服を干すことにも使用することが好ましい。ところが、前記従来技術による衣服用ハンガーを用いてフードのない衣服等を干す場合には、わざわざ設けたフードを支持する支持具は無用であるばかりか、たとえば忙しい主婦などにとってフードのない衣服等を干す作業の邪魔にすらなっている。
本発明は、このような従来技術の問題点を解決できるようにしたフード付き衣服を干すのに最適で、フードのない衣服を干すときにも邪魔にならず、かつハンガー本体を物干し竿などの竿に引っ掛けて懸架するフック付き懸架部の働きを兼ねるフック付き棒を備えた衣服用ハンガーを提供することを目的とする。
【０００５】
本発明は、衣服の首から肩を覆う部分を支持しながら衣服のフードをフック付き棒で支持でき、さらに、フードのない衣服等を干すときにも使いやすい衣服用ハンガーを提供することを目的とする。
【課題を解決するための手段】
【０００６】
本発明における課題解決のための具体的手段は、次の通りである。
すなわち、本発明の特徴とするところは、衣服を支持するための衣服用ハンガーであって、衣服の首から肩を覆う部分を支持するための左方向と右方向に向かう左側腕部と右側腕部と、左側腕部と右側腕部の間の上方中央部に設ける物干し竿などの竿に引っ掛けて懸架するためのフック付き懸架部と、左側腕部の左下方端と右側腕部の右下方端とを結ぶ水平杆と、より構成されるハンガー本体と、ハンガー本体の前記上方中央部に設けられた連結部で前記フック付き懸架部並びに左右側腕部に対して直角方向に起伏可能に、かつ自軸の廻りに回転自在に枢支されるフック付き棒と、を備えたことにある。
【０００７】
さらに、フック付き棒は、衣服のフードを支持する支持位置と、物干し竿などの竿に引っ掛けて懸架する懸架位置との相互位置切替自在に前記連結部で枢支されていることが好ましい。
これにより、本発明の衣服用ハンンガーは、フック付き棒の位置を切替えることによりフード付き衣服のほかにフードのない衣服を干すことにも使用ができる。
また、本発明の特徴とするところは、物干し竿などの竿に引っ掛けて懸架する懸架位置におけるフック付き棒と、フック付き懸架部とは平行でかつ近接してハンガー本体の前記上方中央部に設けられている。
【０００８】
また、フック付き懸架部に沿わせてフック付き棒を固定する固定クリップを備えていることが好ましい。
これにより、固定クリップを備えた本発明の衣服用ハンンガーにフードのない衣服を干すときに、フック付き棒が不安定に揺動したりしてフードのない衣服を干す作業を邪魔するようなことがなく、さらにフック付き棒がハンガー本体を物干し竿などの棒に引っ掛けて懸架するフック付き懸架部の働きを兼ねるような有利な作用を有する。
さらに、フック付き棒の長さが伸縮自在であることが好ましい。また、水平杆の中途に挟むための断部が設けられていることも好ましい。
【発明の効果】
【０００９】
本発明の衣服用ハンガーは、衣服のフードを支持するフック付き棒の支持位置と、物干し竿などの竿に引っ掛けて懸架する懸架位置とを切替るだけで、フード付き衣服を干すのに最適であるのはもちろん、フードのない衣服を干すのにも有効である。
【発明を実施するための最良の形態】
【００１０】
以下、本発明の実施の形態を図面に基づいて説明する。
図１〜５において、本発明の第１の実施の形態である衣服用ハンガー１は、ハンガー本体２とフック付き棒３から構成されている。これらの素材は、プラスチック、アルミニウム、スチール、ステンレス、あるいは一部分が木製でもかまわないし、一部分がスチールでも差し支えない。
図１に示すように、ハンガー本体２は、左方向に向かう左側腕部４と右方向に向かう右側腕部５、左側腕部４の左下方端４ａと右側腕部５の右下方端５ａとを結ぶ水平杆６、並びに左側腕部４と右側腕部５の間の上方中央部７、からなる略長方形の枠２ａを構成し、さらに左側腕部４と右側腕部５の間の上方中央部７から上方に延びるフック付き懸架部８を備えている。
【００１１】
上方中央部７と左側腕部４とは左肩部４ｃで結ばれており、上方中央部７と、左側腕部４と、左肩部４ｃとは、一本となって真っ直ぐに繋がっている。 上方中央部７と右側腕部５とを結ぶ右肩部５ｃと、上方中央部７と、右側腕部５とに関しても同様である。
左側腕部４と右側腕部５は、フード付き衣服９ａにおける衣服９（図２）の首から肩を覆う部分を支持して干すためのものである。なお、フード付き衣服９ａにおける衣服９には、フード９ｂを取り外せないフード付き衣服９ａにおける衣服９、フードが本来ない衣服（図示せず）、フード９ｂを取り外した状態の衣服（図示せず）などを含むことができる。
【００１２】
また、フード付き衣服９ａにおける衣服９の首から肩を覆う部分の内側と接する左右側腕部４、５の上面には、衣服９に対するスベリ止め防止のために、スベリ止め防止部４ｄ、５ｄを設けている。スベリ止め防止部４ｄ、５ｄの形状は、左右側腕部４、５に直角方向に凹凸を設けたものであるが、さらに凸先端に別途ゴム製品を付着させたものでもよく、凹凸形状などを特に限定するものではない。
左右側腕部４、５の各下方に、略Ｌ字型のスカートハンガー４ｂ、５ｂが互いに向かいあって設けられている。この形状も略Ｌ字型限定するものではなく、スカートを引っ掛けて懸架するにふさわしい形式であればよい。
【００１３】
左側腕部４の左下方端４ａと右側腕部５の右下方端５ａとを結ぶ水平杆６の中途であって、水平杆６の長手方向に直角に断部６ａ（図１）が設けられている。本発明の第１の実施の形態では、水平杆６の長さは４１ｃｍで、断部６ａの幅（水平杆６に水平方向）は１ｃｍである。なお、この断部６ａを構成する水平杆６に直角方向であって互いに相対峙する２つの面６ａ、６ｂには、いづれも凹凸が設けられている。
断部６ａを押し広げて開いた後に、衣服９を挟む方向であって断部６ａを閉じる方向へのハンガー本体２の素材の元の形へ戻ろうとする弾力が衣服９の衿部などを挟んで衣服９の脱落を防止する一方で、断部６ａを開けば断部６ａが衣服９の挟むのを容易にやめることができる。また、断部６ａの２つの面６ａ、６ｂの凹凸は衣服９の衿部などを挟み込み断部６ａから衣服９が脱落するのを防止する。
【００１４】
なお、水平杆６に断部６ａを設けることに限定するものでもなく、まして、断部６ａの２つの面６ａ、６ｂに前記凹凸を設けることに限定するものでもなく、断部６ｃの２つの面６ａ、６ｂが凹凸のない平面でもかまわない。この断部６ａは、水平杆６の中央に限定せず、左側腕部４の左下方端４ａの方向、若しくは右側腕部５の右下方端５ａの方向に偏ってもかまわない。
左側腕部４と右側腕部５の間の上方中央部７から上方に延びるフック付き懸架部８は、上方にフック８ａを有し、フック８ａと上方中央部７との間の懸架体８ｂ（本発明の第１の実施の形態では長さ１５ｃｍ）の外観は円柱状となっている。このフック８ａは物干し竿１０を引っ掛けて衣服用ハンガー１を懸架するためのものである。また、懸架体８ｂの外観を円柱状に限定するものではない。
【００１５】
なお、フック付き懸架部８は衣服用ハンガー１を懸架するためにハンガー本体２の上方中央部７から上方に向かっているのは、一般の形態の衣服用ハンガーと同じである。そして、フック付き懸架部８は、自軸廻りに回転自在に上方中央部７に設けられている。なお、フック付き懸架部８が自軸廻りに回転自在であることに限定するものではなく、固定されていてもかまわない。
しかし、衣服用ハンガー１を物干し竿１０に直角方向にして、多数の衣服用ハンガー１を物干し竿１０に懸架するためにも、フック付き懸架部８が上方中央部７に対して回転自在であることが好ましい。
【００１６】
なお、フック付き懸架部８には、後述のフック付き棒３に設けられた後述の伸縮装置３ｃと同様のものを備えることにより、その長さを自由に変えることも可能である。
次に、フック付き棒３は、図１に示すように、ハンガー本体２の上方中央部７に設けられた連結部７ａで枢支されている。この連結部７ａは、円球状の外観を形成して前記上方中央部７に埋め込まれた状況である。
連結部７ａの中に穿かれた円空孔７ｂ内に、フック付き棒３のフック３ａが設けられた側とは反対側の端末に形成された円球３ｂが嵌合されている。したがって、フック付き棒３に形成された円球３ｂが連結部７ａの中に穿かれた円空孔７ｂ内で摺動することにより、フック付き棒３も連結部７ａに対して摺動できる（図３）。なお、図３は、連結部７ａでの図１に示す破線に対する矢印Ａ−Ａ方向の断面である。
【００１７】
円空孔７ｂを穿かれた連結部７ａの残部は外環殻７ｃを形成している。ただし、この外環殻７ｃにおいては、連結部７ａの上方から円空孔７ｂの中心位置７ｅの下方まで、フック付き懸架部８並びに左右側腕部４、５に対して直角方向に削除された削除幅７ｄ（図１）が設けられている。この削除幅７ｄはフック付き棒３の直径よりやや広い幅である。
前記円球３ｂが、前記円空孔７ｂ内に嵌合されて、かつ回転可能であるので、フック付き棒３は、起立状態でも自軸の廻りに回転自在に連結部７ａで枢支される。この起立状態は、フック付き棒３が上方中央部７から上方に向かっている状況である。また、フック付き棒３はフック付き懸架部８並びに左右側腕部４、５に対して直角方向に起伏可能であるのは、フック付き棒３が削除幅７ｄの方向に導かれて起伏するためである。なお、前記直角方向への傾斜状態は、図１では、図面の手前か、若しくは裏面の各方向が該当し、図３では図面の左右方向（矢印）に該当する。
【００１８】
フック付き棒３は円空孔７ｂの中心位置７ｅの下方であって外環殻７ｃの削除端７ｆ１、７ｆ２にフック付き棒３の外側３ｈが当たる位置まで起立状態から傾斜状態に起伏できる（図３）。
また、フック付き棒３の外側３ｈが削除端７ｆ１、７ｆ２に当たったフック付き棒３の位置が、フック付き懸架部８に対して直角であることに限定するものではなく、直角よりやや鋭角でもかまわないし、フック付き懸架部８並びに左右側腕部４、５に対して正反対に直角２方向（図３の破線）に設ける必要は必ずしもなく、フード付き衣服９ａのフード９ｂを支持する方向（後述の図４に示すフード９ｂを支持する支持位置の方向）にさえあればよいので、２方向に限定するものではない。
【００１９】
なお、フック付き棒３における円球３ｂと、連結部７ａとの嵌合状況は、フック付き棒３が好ましく起伏可能であればよく、本実施形態に制限されるものではなく、まして、連結部７ａａの外観を円球状に限定するものではない
フック付き棒３のフック３ａと円球３ｂを結ぶ棒部分３ｄは、太い管３ｅと細い棒部分３ｆからなり、かつネジ部３ｇを有している。すなわち、太い管３ｅに、細い棒部分３ｆが挿入され、両者３ｅ、３ｆを所定の位置で固定するネジ部３ｇからなる伸縮装置３ｃを備えている。これにより、フック付き棒３自体が伸縮自在になっている。
【００２０】
また、フック付き棒３のフック３ａは、フック付き懸架部８のフック８ａと同様の形状であってもかまわない。
一方、フック付き棒３のフック３ａは物干し竿１０に引っ掛けて衣服用ハンガー１を懸架するよりも、傾斜状態となったフック付き棒３の支持位置（図４）において衣服９のフード９ｂを支持することが重点であるので、フック付き棒３のフック３ａがフック付き懸架部８のフック８ａより小ぶりでもかまわない。支持位置におけるフック付き棒３のフック３ａは、物干し竿１０に引っ掛けて衣服用ハンガー１を支持するためのものではなくなる。
【００２１】
なお、起立状態となった懸架位置におけるフック付き棒３と、フック付き懸架部８とは平行でかつ近接してハンガー本体２の上方中央部７に設けられているのは図１（後述の図６、７も同じ）に示したとおりである。
フック付き棒３のフック３ａの自由端部３ｉには、支持位置におけるフック付き棒３がフード付き衣服９ａのフード９ｂを支持するに際して、フード９ｂが自由端部３ｉから滑りにくいように、滑り止めのゴムカバー１２が付されている。このゴムカバー１２の材質は合成ゴムであって、パイプなどキャップ製品として使用されているものである。また、懸架位置におけるフック付き棒３が物干し竿１０に懸架されたとき、ゴムカバー１２が物干し竿１０に対して滑りにくく、フック付き棒３が物干し竿１０から脱落するのを防止することにもなる。なお、ゴムカバー１２の材質を合成ゴムに限定するものではない。
【００２２】
フード付き衣服９ａ（図２）におけるフード９ｂを付けたままの衣服９の首から肩を覆う部分を、本発明の衣服用ハンガー１の左側腕部４と右側腕部５で支持し、傾斜状態にあるフック付き棒３のフック３ａでフード付き衣服９ａのフード９ｂを支持している側面図を図４で模式的に示している。フック付き棒３は、フード付き衣服９ａのフード９ｂを支持する支持位置にある。なお、図４ではフード付き衣服９ａを破線で示し、衣服用ハンガー１を側面図で示している。
このように、フード付き衣服９ａのフード９ｂを傾斜状態であって、上記支持位置にあるフック付き棒３で支持することにより、フード９ｂの後頭部９ｃの部分がフード付き衣服９ａの後ろ見頃９ｄにおける首に近い部分などに接触することがなく（図４）、両者の間の風通しを良くし両者を乾きやすくすることができる。
【００２３】
フック付き棒３の棒部分３ｄに設けた伸縮装置３ｃにより、フード９ｂの大きさにあわせて、フック付き棒３を伸縮させてやれば、フード付き衣服９ａの乾きやすい状況をつくりだすのに好都合となる。
もちろん、フック付き棒３が自軸の廻りに回転自在であることにより、同じく回転自在となるフック３ａのフック付き棒３に対する向きを変化させて、フック３ａによって各種形状・大きさのフード９ｂを支持して、フード９ｂを乾きやすくすることができる。
なお、クリップ（所謂洗濯バサミ）などを用いてフード９ｂの外からフック３ａとともにフード９ｂを挟んで、フード９ｂのフック３ａからの脱落を防止することも有用である。さらに、傾斜状態にあるフック付き棒３のフック３ａに、フード９ｂ以外のたとえば濡れた靴などを支持して干すのにも適応できる。
【００２４】
次に、図５の固定クリップ１１を用いれば、フック付き懸架部８に沿わせてフック付き棒３を固定することができる。図１並びに後述の図６、７は、この図５の固定クリップ１１を用いた状況でを示している。
この固定クリップ１１は、Ａリング１１ａとＢリング１１ｂの２個のリングを連結した環状の形状であり、一方のＢリング１１ｂの反Ａリング１１ａ側におけるの一部分はリング不連続部１１ｃが設けられている。
フック付き懸架部８の円柱状懸架体８ｂの直径方向から、懸架体８ｂをリング不連続部１１ｃに当接してリング不連続部１１ｃを押し広げ、固定クリップ１１のＢリング１１ｂ内を通過してＡリング１１ａ内まで懸架体８ｂを嵌め込む。次に、さらに、フック付き懸架部８に沿うように、フック付き棒３の棒部分３ｄの直径の外側３ｈから、固定クリップ１１のＢリング１１ｂ内に棒部分３ｄを嵌めこんで、フック付き懸架部８に沿わせてフック付き棒３を固定する。
【００２５】
この固定クリップ１１を用いてフック付き懸架部８に沿わせてフック付き棒３を固定して懸架位置にすれば、フック付き棒３は、フード９ｂの本来ない衣服を干すときにも忙しい主婦の仕事の邪魔になず、フック付き懸架部８とともに衣服用ハンガー１を懸架し、フック付き懸架部８が衣服用ハンガー１を懸架するのを助けることになる。
フック付き懸架部８に沿わせてフック付き棒３を固定しておけば、衣服９を干さないときにも、フック付き棒３は邪魔にならず、フック付き棒３が不安定に揺動するような無駄な動きを防止する。
【００２６】
もちろん、固定クリップ１１なしで、フック付き懸架部８に沿わせてフック付き棒３とともに両者を衣服用ハンガー１に懸架しておけば、上記同様にフック付き棒３が邪魔になることはない。
固定クリップ１１の素材はプラスチックなどハンガー本体２の素材と同様に、リング不連続部１１ｃが押し広げられた後に元の形へ戻ろうとする、懸架部８ｂを嵌め込む方向への弾力を備えている。
図６は、本発明の第２の実施の形態を示すもので、フック付き棒３における棒部分３ｄの長さ（１５ｃｍ）をフック付き懸架部８における懸架体８ｂの長さ（３ｃｍ）より長いことが第１の実施の形態との違いである。なお、どちらのフック３ａ、８ａを物干し竿１０に引っ掛けて衣服用ハンガー１を懸架しても差し支えない。
【００２７】
図７は、本発明の第３の実施の形態を示すもので、上方中央部７が左側腕部４並びに右側腕部５の各位置から水平杆６の反対方向に山形に突出した形の枠２ａを構成している。上方中央部７と左側腕部４を結ぶ左肩部４ｃ、並びに上方中央部７と右側腕部５を結ぶ右肩部５ｃが各々上方中央部７方向に向けて設けられている。第１の実施の形態とは前記枠２ａの形が違っており、またスカートハンガー４ｂ、５ｂ、並びに水平杆６に断部６ａを設けていない点が第１の実施の形態とは違っている。
なお、本発明は前記実施形態における各部材の形状及びそれぞれの前後・左右・上下の位置関係は、図１〜７で説明したような構成することが最良である。しかし、前記実施形態に限定されるものではなく、部材、構成を種々変形したり、組み合わせを変更したりすることもできる。
【００２８】
たとえば、滑り止めのゴムカバー１２はフック付き棒３のフック３ａの自由端部３ｉだけでなく、フック付き懸架部８のフック８ａの自由端部８ｃにも付すことができる。ゴムカバー１２が物干し竿１０に対して滑りにくく、フック付き懸架部８が物干し竿１０から脱落するのを防止する。
【産業上の利用可能性】
【００２９】
本発明の衣服用ハンガーは、衣服用以外にも、家庭用品などを干して乾かすのに使用できる。
【図面の簡単な説明】
【００３０】
【図１】本発明の第１の実施の形態を示す衣服用ハンガーの正面図である。
【図２】フード付き衣服の正面図である。
【図３】図１の破線に対する矢印Ａ−Ａ方向の断面である。
【図４】図１の衣服用ハンガーにフード付き衣服が支持された側面模式図である。
【図５】固定クリップの断面図である。
【図６】本発明の第２の実施の形態を示す衣服用ハンガーの正面図である。
【図７】本発明の第３の実施の形態を示す衣服用ハンガーの正面図である。
【符号の説明】
【００３１】
１    衣服用ハンガー
２    ハンガー本体
３    フック付き棒
４    左側腕部
４ａ  左下方端
５    右側腕部
５ａ  右下方端
６    水平杆
６ａ  断部
７    上方中央部
７ａ  連結部
８    フック付き懸架部
９    衣服
９ｂ  フード
１０  物干し竿
１１  固定クリップ
【図１】
2006198182.tif 000003
【図２】
2006198182.tif 000004
【図３】
2006198182.tif 000005
【図４】
2006198182.tif 000006
【図５】
2006198182.tif 000007
【図６】
2006198182.tif 000008
【図７】
2006198182.tif 000009